(57)【要約】ソール（２）を形成する靴（１）と、ねじ（１０）によってソール（２）に固定されたホイールフレーム（下部台）（３）とを備えた子供用ローラースケートが示されており、ホイールフレームは各ローラー対（９）用の前方及び後方車軸（６，７）を支持している。有利な構成状態を生み出すために、プラスチックで形成された本体（４）から一体形成されたホイールフレーム（３）は、二つの車軸（６，７）を回転可能に支持するためのローラーベアリング（８）を受け入れる支持レセプタクル（５）を備えている。
2005519717.tif 000002
【特許請求の範囲】
【請求項１】
ソールを形成する靴と、ねじによってソールに固定されたホイールフレーム（下部台）とを備え、該ホイールフレームが各ローラー対用の前方及び後方車軸を有する子供用ローラースケートであって、
プラスチックで形成された本体から一体形成された前記ホイールフレームは、前記二つの車軸を回転可能に支持するためのローラーベアリングを受け入れる支持レセプタクルを備えていることを特徴とする子供用ローラースケート。
【請求項２】
請求項１に記載の子供用ローラースケートにおいて、
上記ホイールフレームの本体は、ねじ用の挿入孔と、該挿入孔に対して交差する方向に案内するナット用の摺動案内部とを備えていることを特徴とする子供用ローラースケート。
【発明の詳細な説明】
【０００１】
【発明の属する技術分野】
本発明は、ソールを形成する靴と、ねじによってソールに固定されたホイールフレーム（下部台）とを備え、そのホイールフレームが各ローラー対用の前方及び後方車軸を備えた、子供用ローラースケートに関するものである。
【０００２】
【従来の技術】
子供用ローラースケートは、通常、ホイールフレームを備えており、このホイールフレームは、その長さだけがかなり小さい子供の靴に対応しているが、通常のローラスケートのホイールフレームと同様な構成の特徴を有している。従って、子供用ローラースケートの場合には、靴のソールにねじで取り付けられたホイールフレームに前方及び後方車軸用のレセプタクルを通常備えている。前方及び後方車軸は、支持フレームを介してレセプタクルに挿入され、ねじで強固に締め付けられている。二つのローラーは、ローラー[ボール]ベアリングを介して支持フレームに支持された各々の車軸に自由に回転できる状態で支持されている。比較的重量が重い金属製のホイールフレームが、子供用のローラースケートにとっては特に不都合であることとは別に、支持フレームを介してホイールフレームのレセプタクルに挿入された支持軸は、子供にとっては不適当なホイールフレームの全高を必要とし、これは靴の長手方向の軸まわりに傾斜させる危険性を大きくしてしまう。
【０００３】
【発明が解決しようとする課題】
従って、本発明は、一方でホイールフレームの重量を軽減でき、他方でホイールフレームの全高を低くすることができるように、冒頭で説明された子供用のタイプのローラースケートを設計するという課題を有する。
【０００４】
【課題を解決するための手段】
本発明は、上述の課題を、プラスチックで形成された本体から一体形成されたホイールフレームが、二つの車軸を回転可能に支持するためのローラーベアリングを受け入れる支持レセプタクルを備えることにより解決する。
【０００５】
このような構成により、別の支持フレームを車軸用として設けるのではなく、車軸をローラーベアリングを介してホイールフレームの支持レセプタクルに直接支持しているので、ローラーの直径のみによって決定される低い全高を保証できる。さらに、子供用のローラースケートの荷重は小さいため、ホイールフレームを、金属製のホイールフレームと比較して重量が軽いプラスチックで一体形成された本体によって形成することができる。さらに、ホイールフレームの支持レセプタクルに二つの車軸を回転可能に支持するようにした結果、車軸上のローラーを支持するための他の方法で必要とされるローラーベアリングを省くことができ、通常のホイールフレームと比較して、必要とされるローラーベアリングの数を半分にすることができる。このことは、さらに重量を軽減し、構造を簡単にすることができることを意味している。ホイールフレームを形成する本体は、縦軸の中央平面に対して対称に設計することができ、従って、特にアンダーカットを形成する必要がないのであれば、簡単な形成工具を使用するだけでよい。
【０００６】
プラスチックのホイールフレームを靴のソールに簡単かつ確実にねじで取り付けることを可能にするために、ホイールフレームの本体は、ねじ用の挿入孔と、該挿入孔に対して交差する方向に案内するナット用の摺動案内部を備えることができる。この場合、ナットを摺動案内部に挿入させるだけでよい。
ナットは、摺動案内部にねじれが生じない状態で保持されているので、ねじを、ソールを通してホイールフレームの挿入孔に挿入するという簡単な方法で挿入させ、挿入孔の領域で保持されたナットに螺合させることができる。
【０００７】
図面は、本発明の実施例を示している。
【０００８】
【発明の実施の形態】
図示の実施例による子供用ローラースケートは、ソール２を有する子供靴１を備え、このソール２にホイールフレーム３がねじで固定されている。このホイールフレーム３は、プラスチックで一体形成された本体４によって形成されており、前方車軸６及び後方車軸７を受け入れる支持レセプタクル５を備えている。特に、図２によく示すように、前方及び後方車軸６，７を回転可能に支持するためのローラーベアリング８が、支持レセプタクル５内に挿入されている。従って、一組の前方及び後方車軸に配置されたローラー９は、車軸６，７に回転可能な支持部材を必要としない。
【０００９】
本体４を靴１のソール２に固定するために、ねじ１０がソール２に挿入される。このねじ１０は、ワッシャー１１を介してソール２の内面に支持され、ソール２を貫通して開孔１２に挿入されている。本体４には挿入孔１３が形成されており、この挿入孔１３は、ねじ１０をナット１４と協同させるために開孔１２と連続的に延在している。このナット１４は、挿入孔１３に対して交差する方向に伸びた摺動案内部１５にねじれが生じない状態で保持されているので、ナット１４は、ねじ１０をソール２を貫通して挿入孔１３に挿入する前に、摺動案内部１５内に押し入れるだけでよい。ねじ１０の締結は、本体４をナット１４を介して靴１のソール２側に押圧するので、靴１とホイールフレーム３との間にねじれが生じない結合をつくる。
【００１０】
図１に示すように、ホイールフレーム３は、ホイールフレーム３の本体４にねじで取り付けられたブレーキブロック１６を前部及び後部に備えることができる。そこで、ナット１８用の摺動案内部１７を本体４に設け、図１に示すように、ナットを摺動案内部１７を通ってねじ２０用の挿入孔１９の領域まで延入させる。
【００１１】
ローラー９は、ローラーベアリングを介して車軸６，７に回転するように支持されているのではなく、車軸６，７自体が、ローラーベアリング８を介してホイールフレーム３の本体４の支持レセプタクル５に回転可能に支持されているので、車軸６，７のためだけのローラーベアリング８で十分な簡単な設計となり、これはさらに重量を軽減することが可能となる。さらに、ホイールフレーム３の本体４がプラスチックで製造されているので、ローラースケートの総重量を比較的軽く抑えることができる。さらに、別の支持フレームを介して車軸６，７を支持するのではなく、ローラーベアリング８を介して本体４の支持レセプタクル５に車軸６，７を直接支持しているので、ホイールフレーム３の全高をほぼローラー９の外径のみによって決めることができる。従って、靴１と地面との間隔を低くすることができる。
【図面の簡単な説明】
【図１】
図１は、本発明にかかる子供用ローラースケートの部分分解側面図である。
【図２】
図２は、このローラースケートを線II-IIで切断した拡大断面図である。
【図１】
2005519717.tif 000003
【図２】
2005519717.tif 000004
【国際調査報告】
2005519717.tif 000005
2005519717.tif 000006